【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
ユーザ機器装置上のユーザの視聴活動を計画するための方法であって、
特定の日付および期間に対する関心のある複数のメディアアセットをタグ付けすることと、
前記複数のメディアアセットに対する識別子を備える双方向グリッドを表示することであって、前記双方向グリッドの１つの寸法は、前記複数のメディアアセットに対するソースを表し、前記双方向グリッドの別の寸法は、前記特定の日付における前記期間を実質的に表す、ことと、
前記複数のメディアアセットの第２のアセットに対して前記複数のメディアアセットのうちの少なくとも１つのアセットに対する先取優先度のユーザ指示を受信することと、
前記少なくとも１つのアセットの相対的先取優先度の関数として、前記複数のメディアアセットのうちの前記少なくとも１つのアセットに対するチューナを確保することと、
確保された利用可能なチューナを有しない前記複数のアセットのうちのアセットに対する識別子と、確保された利用可能なチューナを有する前記複数のアセットのうちのアセットに対する前記識別子を、視覚的に区別することと
を含む、方法。
【請求項２】
特定の日付および期間に対する関心のある複数のメディアアセットをタグ付けすることは、録画に関して前記関心のある複数のメディアアセットのうちの少なくとも１つをスケジューリングすることと、前記関心のある複数のメディアアセットのうちの少なくとも１つに対するリマインダを設定することと、前記関心のある複数のメディアアセットのうちの少なくとも１つを録画に関して関心があるものとしてタグ付けすることと、前記関心のある複数のメディアアセットのうちの少なくとも１つを視聴に関して関心があるものとしてタグ付けすることと、前記複数のメディアアセットのうちの少なくとも１つを示すチャンネルをお気に入りリストに追加することと、前記関心のある複数のメディアアセットのうちの少なくとも１つに対するブックマークを設定することとのうちの少なくとも１つを含む、請求項１に記載の方法。
【請求項３】
前記複数のメディアアセットのうちの１つのアセットのユーザ選択を受信することと、
前記ユーザ選択を受信することに応答して、前記選択された１つのアセットに関連するメディアコンテンツを自動的に表示することと
をさらに含む、請求項１に記載の方法。
【請求項４】
前記複数のメディアアセットのうちの１つのアセットのユーザ選択を受信することと、
前記選択された１つのアセットがコマーシャルのない表示に利用可能であるかどうかを決定することと、
前記１つのアセットがコマーシャルのない表示に利用可能であると決定することに応答して、コマーシャルなしで前記１つのアセットを表示するように前記ユーザに促すことと
をさらに含む、請求項１に記載の方法。
【請求項５】
前記複数のメディアアセットのうちの１つのアセットの計画された視聴時間に変更するユーザ要求を受信することをさらに含む、請求項１に記載の方法。
【請求項６】
前記複数のメディアアセットのうちの１つのアセットの計画された視聴時間を分割するユーザ要求を受信することと、
前記計画された視聴時間を分割するユーザ要求を受信することに応答して、前記１つのアセットの前記計画された視聴時間に対して少なくとも２つのセグメントを前記双方向グリッドにおいて表示することと
をさらに含む、請求項１に記載の方法。
【請求項７】
ユーザ機器装置上のユーザの視聴活動を計画するためのシステムであって、
特定の日付および期間に対する関心のある複数のメディアアセットをタグ付けする手段と、
前記複数のメディアアセットに対する識別子を備える双方向グリッドを表示する手段であって、前記双方向グリッドの１つの寸法は、前記複数のメディアアセットに対するソースを表し、前記双方向グリッドの別の寸法は、前記特定の日付における前記期間を実質的に表す、手段と、
前記複数のメディアアセットの第２のアセットに対して前記複数のメディアアセットのうちの少なくとも１つのアセットに対する先取優先度のユーザ指示を受信する手段と、
前記少なくとも１つのアセットの相対的先取優先度の関数として、前記複数のメディアアセットのうちの前記少なくとも１つのアセットに対するチューナを確保する手段と、
確保された利用可能なチューナを有しない前記複数のアセットのうちのアセットに対する識別子と、確保された利用可能なチューナを有する前記複数のアセットのうちのアセットに対する前記識別子を、視覚的に区別する手段と
を含む、システム。
【請求項８】
特定の日付および期間に対する関心のある複数のメディアアセットをタグ付けする手段は、録画に関して前記関心のある複数のメディアアセットのうちの少なくとも１つをスケジューリングする手段と、前記関心のある複数のメディアアセットのうちの少なくとも１つに対するリマインダを設定する手段と、前記関心のある複数のメディアアセットのうちの少なくとも１つを録画に関して関心があるものとしてタグ付けする手段と、前記関心のある複数のメディアアセットのうちの少なくとも１つを視聴に関して関心があるものとしてタグ付けする手段と、前記複数のメディアアセットのうちの少なくとも１つを示すチャンネルをお気に入りリストに追加する手段と、前記関心のある複数のメディアアセットのうちの少なくとも１つに対するブックマークを設定する手段とのうちの少なくとも１つを含む、請求項７に記載のシステム。
【請求項９】
前記複数のメディアアセットのうちの１つのアセットのユーザ選択を受信する手段と、
前記ユーザ選択を受信することに応答して、前記選択された１つのアセットに関連するメディアコンテンツを自動的に表示する手段と
をさらに含む、請求項７に記載のシステム。
【請求項１０】
前記複数のメディアアセットのうちの１つのアセットのユーザ選択を受信する手段と、
前記選択された１つのアセットがコマーシャルのない表示に利用可能であるかどうかを決定する手段と、
前記１つのアセットがコマーシャルのない表示に利用可能であると決定することに応答して、コマーシャルなしで前記１つのアセットを表示するように前記ユーザに促す手段と
をさらに含む、請求項７に記載のシステム。
【請求項１１】
前記複数のメディアアセットのうちの１つのアセットの計画された視聴時間に変更するユーザ要求を受信する手段をさらに含む、請求項７に記載のシステム。
【請求項１２】
前記複数のメディアアセットのうちの１つのアセットの計画された視聴時間を分割するユーザ要求を受信する手段と、
前記計画された視聴時間を分割するユーザ要求を受信することに応答して、前記１つのアセットの前記計画された視聴時間に対して少なくとも２つのセグメントを前記双方向グリッドにおいて表示する手段と
をさらに含む、請求項７に記載のシステム。
【手続補正２】
【補正対象書類名】明細書
【補正対象項目名】００１８
【補正方法】変更
【補正の内容】
【００１８】
ユーザは、１つ以上のソースから、間もなく開始の情報を閲覧することを選択してもよい。各ソースは、ユーザ機器装置またはヘッドエンドサーバに格納される、独自の間もなく開始のデータベースと関連してもよい。間もなく開始のソースを選択した後、選択されたソースと関連する、間もなく開始のコンテンツに関する番組スケジュール情報のリストまたはグリッドが表示されてもよい。リストまたはグリッドは、任意の適切な基準または基準の組み合わせによって分類されるか、またはフィルタをかけられてもよい。
例えば、本発明は以下の項目を提供する。
（項目１）
現在の番組スケジュールウィンドウ外で利用可能なメディアコンテンツ選択において条件付きメディアガイダンスアプリケーション機能を実行するための方法であって、
番組スケジュールデータを受信するステップであって、上記番組スケジュールデータは、現在の番組スケジュールウィンドウ内で利用可能なメディアコンテンツと関連する、ステップと、
上記現在の番組スケジュールウィンドウ外で利用可能なメディアコンテンツ選択に対する予想利用可能性情報を受信するステップと、
上記現在の番組スケジュールウィンドウ外で利用可能な上記メディアコンテンツ選択に対する双方向要素を表示するステップであって、上記双方向要素は、上記受信した予想利用可能性情報の少なくとも一部を含む、ステップと、
上記現在の番組スケジュールウィンドウ外で利用可能な上記メディアコンテンツ選択に関する条件付きメディアガイダンスアプリケーション機能を予定するステップであって、上記条件付きメディアガイダンスアプリケーション機能は、上記メディアコンテンツ選択の少なくとも１つの属性に条件付けられる、ステップと、
上記メディアコンテンツ選択が上記現在の番組スケジュールウィンドウに入るときを決定するステップと、
上記メディアコンテンツ選択が上記現在の番組スケジュールウィンドウに入った後に、上記少なくとも１つの属性の値を確認するステップと、
上記少なくとも１つの属性の値を確認するステップに応答して、上記条件付きメディアガイダンスアプリケーション機能を実行するステップと
を含む、方法。
（項目２）
上記メディアコンテンツ選択が上記現在の番組スケジュールウィンドウに入るときを決定するステップは、上記現在の番組スケジュールウィンドウ中のメディアコンテンツと関連する複数の一意の番組識別子にアクセスするステップを含む、項目１に記載の方法。
（項目３）
上記少なくとも１つのメディアコンテンツ選択が上記現在の番組スケジュールウィンドウに入るときを決定するステップはさらに、上記メディアコンテンツ選択と関連する一意の番組識別子を上記複数の一意の番組識別子と比較するステップを含む、項目２に記載の方法。
（項目４）
上記現在の番組スケジュールウィンドウ外で利用可能な上記メディアコンテンツ選択は、放送メディアコンテンツ選択を含み、上記予想利用可能性情報は、予想放送日を含む、項目１に記載の方法。
（項目５）
上記現在の番組スケジュールウィンドウ外で利用可能な上記メディアコンテンツ選択は、オンデマンドメディアコンテンツ選択を含み、上記予想利用可能性情報は、予想公開日を含む、項目１に記載の方法。
（項目６）
上記双方向要素は、双方向広告および双方向リストから成る群より選択される、項目１に記載の方法。
（項目７）
上記表示された双方向要素中の上記予想利用可能性情報の信頼性の指示を表示するステップをさらに含む、項目１に記載の方法。
（項目８）
上記予想利用可能性情報の上記信頼性の指示は、アイコンを含む、項目７に記載の方法。
（項目９）
上記条件付きメディアガイダンスアプリケーション機能は、
上記現在の番組スケジュールウィンドウ外で利用可能な上記メディアコンテンツ選択の録画を予定するステップ、上記現在の番組スケジュールウィンドウ外で利用可能な上記メディアコンテンツ選択を録画するステップ、上記現在の番組スケジュールウィンドウ外で利用可能な上記メディアコンテンツ選択に対する通知を設定するステップ、上記現在の番組スケジュールウィンドウ外で利用可能な上記メディアコンテンツ選択に同調するステップ、上記現在の番組スケジュールウィンドウ外で利用可能な上記メディアコンテンツ選択を表示するステップ、および上記現在の番組スケジュールウィンドウ外で利用可能な上記メディアコンテンツ選択を順序付けるステップから成る群より選択される、項目１に記載の方法。
（項目１０）
上記少なくとも１つの属性は、ユーザ格付け、ネットワーク人気、ＭＰＡＡ格付け、テレビ格付け、放送日、放送時間、公開日、公開時間、俳優、出演者、監督、アクセス価格、および形式から成る群より選択される、項目１に記載の方法。
（項目１１）
上記現在の番組スケジュールウィンドウ外で利用可能な上記メディアコンテンツ選択は、スポーツイベントまたはスポーツ競技を含み、上記少なくとも１つの属性は、上記スポーツイベントまたは上記スポーツ競技に出場するチーム、および上記スポーツイベントまたは上記スポーツ競技に出場する競技者から成る群より選択される、項目１に記載の方法。
（項目１２）
更新された予想利用可能性情報を受信するステップと、
上記更新された予想利用可能性情報を受信するステップに応じて、上記双方向要素中の上記表示された予想利用可能性情報を自動的に更新するステップと
をさらに含む、項目１に記載の方法。
（項目１３）
上記条件は、上記現在の番組スケジュールウィンドウ外で利用可能な上記メディアコンテンツ選択の上記少なくとも１つの属性を含む複合論理式を備える、項目１に記載の方法。
（項目１４）
上記現在の番組スケジュールウィンドウ外で利用可能な上記メディアコンテンツ選択と関連する少なくとも１つのコンテンツ制御フラグを受信するステップと、
上記少なくとも１つのコンテンツ制御フラグを保存するステップと、
上記メディアコンテンツ選択に少なくとも１つの著作権制限を実施するステップであって、上記著作権制限は、少なくとも部分的に、上記少なくとも１つのコンテンツ制御フラグによって定義される、ステップと
をさらに含む、項目１に記載の方法。
（項目１５）
上記メディアコンテンツ選択に少なくとも１つの著作権制限を実施するステップは、上記メディアコンテンツ選択の複製を禁止するステップを含む、項目１４に記載の方法。
（項目１６）
上記メディアコンテンツ選択に少なくとも１つの著作権制限を実施するステップは、上記メディアコンテンツ選択の録画を禁止するステップを含む、項目１４に記載の方法。
（項目１７）
上記メディアコンテンツ選択に少なくとも１つの著作権制限を実施するステップは、上記メディアコンテンツ選択の編集を禁止するステップを含む、項目１４に記載の方法。
（項目１８）
上記メディアコンテンツ選択に少なくとも１つの著作権制限を実施するステップは、上記メディアコンテンツ選択の再伝送を禁止するステップを含む、項目１４に記載の方法。
（項目１９）
上記現在の番組スケジュールウィンドウ外で利用可能なメディアコンテンツ選択に対する予想利用可能性情報を受信するステップは、少なくとも２つのメディアコンテンツ選択を含むメディアコンテンツパッケージに対する予想利用可能性情報を受信するステップを含む、項目１に記載の方法。
（項目２０）
上記メディアコンテンツパッケージ中の第１のメディアコンテンツ選択に関する第１の条件付きメディアガイダンスアプリケーション機能を予定するステップと、上記メディアコンテンツパッケージ中の第２のメディアコンテンツ選択に関する第２の条件付きメディアガイダンスアプリケーション機能を予定するステップとをさらに含み、上記第１および第２の条件付きメディアガイダンスアプリケーション機能は、異なる機能である、項目１９に記載の方法。
（項目２１）
上記現在の番組スケジュールウィンドウ外で利用可能なメディアコンテンツ選択に対する予想利用可能性情報を受信するステップは、推定利用可能日を受信するステップを含む、項目１に記載の方法。
（項目２２）
現在の番組スケジュールウィンドウ外で利用可能なメディアコンテンツ選択において条件付きメディアガイダンスアプリケーション機能を実行するためのシステムであって、
番組スケジュールデータを受信するための手段であって、上記番組スケジュールデータは、現在の番組スケジュールウィンドウ内で利用可能なメディアコンテンツと関連する、手段と、
上記現在の番組スケジュールウィンドウ外で利用可能なメディアコンテンツ選択に対する予想利用可能性情報を受信する手段と、
上記現在の番組スケジュールウィンドウ外で利用可能な上記メディアコンテンツ選択に対する双方向要素を表示するための手段であって、上記双方向要素は、上記受信した予想利用可能性情報の少なくとも一部を含む、手段と、
上記現在の番組スケジュールウィンドウ外で利用可能な上記メディアコンテンツ選択に関する条件付きメディアガイダンスアプリケーション機能を予定するための手段であって、上記条件付きメディアガイダンスアプリケーション機能は、上記メディアコンテンツ選択の少なくとも１つの属性に条件付けられる、手段と、
上記メディアコンテンツ選択が上記現在の番組スケジュールウィンドウに入るときを決定するための手段と、
上記メディアコンテンツ選択が上記現在の番組スケジュールウィンドウに入った後に、上記少なくとも１つの属性の値を確認するための手段と、
上記少なくとも１つの属性の上記値を確認するステップに応じて、上記条件付きメディアガイダンスアプリケーション機能を実行するための手段と
を備える、システム。
（項目２３）
上記メディアコンテンツ選択が上記現在の番組スケジュールウィンドウに入るときを決定するための手段は、上記現在の番組スケジュールウィンドウ中のメディアコンテンツと関連する複数の一意の番組識別子にアクセスするための手段を備える、項目２２に記載のシステム。
（項目２４）
上記少なくとも１つのメディアコンテンツ選択が上記現在の番組スケジュールウィンドウに入るときを決定するための手段はさらに、上記メディアコンテンツ選択と関連する一意の番組識別子を上記複数の一意の番組識別子と比較するための手段を備える、項目２３に記載のシステム。
（項目２５）
上記現在の番組スケジュールウィンドウ外で利用可能な上記メディアコンテンツ選択は、放送メディアコンテンツ選択を含み、上記予想利用可能性情報は、予想放送日を含む、項目２２に記載のシステム。
（項目２６）
上記現在の番組スケジュールウィンドウ外で利用可能な上記メディアコンテンツ選択は、オンデマンドメディアコンテンツ選択を含み、上記予想利用可能性情報は、予想公開日を含む、項目２２に記載のシステム。
（項目２７）
上記双方向要素は、双方向広告および双方向リストから成る群より選択される、項目２２に記載のシステム。
（項目２８）
上記表示された双方向要素中の上記予想利用可能性情報の信頼性の指示を表示するための手段をさらに備える、項目２２に記載のシステム。
（項目２９）
上記予想利用可能性情報の上記信頼性の指示は、アイコンを含む、項目２８に記載のシステム。
（項目３０）
上記条件付きメディアガイダンスアプリケーション機能は、
上記現在の番組スケジュールウィンドウ外で利用可能な上記メディアコンテンツ選択の録画を予定するステップ、上記現在の番組スケジュールウィンドウ外で利用可能な上記メディアコンテンツ選択を録画するステップ、上記現在の番組スケジュールウィンドウ外で利用可能な上記メディアコンテンツ選択に対する通知を設定するステップ、上記現在の番組スケジュールウィンドウ外で利用可能な上記メディアコンテンツ選択に同調するステップ、上記現在の番組スケジュールウィンドウ外で利用可能な上記メディアコンテンツ選択を表示するステップ、および上記現在の番組スケジュールウィンドウ外で利用可能な上記メディアコンテンツ選択を順序付けるステップから成る群より選択される、項目２２に記載のシステム。
（項目３１）
上記少なくとも１つの属性は、ユーザ格付け、ネットワーク人気、ＭＰＡＡ格付け、テレビ格付け、放送日、放送時間、公開日、公開時間、俳優、出演者、監督、アクセス価格、および形式から成る群より選択される、項目２２に記載のシステム。
（項目３２）
上記現在の番組スケジュールウィンドウ外で利用可能な上記メディアコンテンツ選択は、スポーツイベントまたはスポーツ競技を備え、上記少なくとも１つの属性は、上記スポーツイベントまたは上記スポーツ競技に出場するチーム、および上記スポーツイベントまたは上記スポーツ競技に出場する競技者から成る群より選択される、項目２２に記載のシステム。
（項目３３）
更新された予想利用可能性情報を受信するための手段と、
上記更新された予想利用可能性情報を受信するステップに応じて、上記双方向要素中の上記表示された予想利用可能性情報を自動的に更新するための手段と
をさらに備える、項目２２に記載のシステム。
（項目３４）
上記条件は、上記現在の番組スケジュールウィンドウ外で利用可能な上記メディアコンテンツ選択の上記少なくとも１つの属性を含む複合論理式を備える、項目２２に記載のシステム。
（項目３５）
上記現在の番組スケジュールウィンドウ外で利用可能な上記メディアコンテンツ選択と関連する少なくとも１つのコンテンツ制御フラグを受信するための手段と、
上記少なくとも１つのコンテンツ制御フラグを保存するための手段と、
上記メディアコンテンツ選択に少なくとも１つの著作権制限を実施するための手段であって、上記著作権制限は、少なくとも部分的に、上記少なくとも１つのコンテンツ制御フラグによって定義される、手段と
をさらに備える、項目２２に記載のシステム。
（項目３６）
上記メディアコンテンツ選択に少なくとも１つの著作権制限を実施するための上記手段は、上記メディアコンテンツ選択の複製を禁止するための手段を備える、項目３５に記載のシステム。
（項目３７）
上記メディアコンテンツ選択に少なくとも１つの著作権制限を実施するための上記手段は、上記メディアコンテンツ選択の録画を禁止するための手段を備える、項目３５に記載のシステム。
（項目３８）
上記メディアコンテンツ選択に少なくとも１つの著作権制限を実施するための上記手段は、上記メディアコンテンツ選択の編集を禁止するための手段を備える、項目３５に記載のシステム。
（項目３９）
上記メディアコンテンツ選択に少なくとも１つの著作権制限を実施するための上記手段は、上記メディアコンテンツ選択の再伝送を禁止するための手段を備える、項目３５に記載のシステム。
（項目４０）
上記現在の番組スケジュールウィンドウ外で利用可能なメディアコンテンツ選択に対する予想利用可能性情報を受信するための上記手段は、少なくとも２つのメディアコンテンツ選択を備えるメディアコンテンツパッケージに対する予想利用可能性情報を受信するための手段を備える、項目２２に記載のシステム。
（項目４１）
上記メディアコンテンツパッケージ中の第１のメディアコンテンツ選択に関する第１の条件付きメディアガイダンスアプリケーション機能を予定するための手段と、上記メディアコンテンツパッケージ中の第２のメディアコンテンツ選択に関する第２の条件付きメディアガイダンスアプリケーション機能を予定するための手段とをさらに備え、上記第１および第２の条件付きメディアガイダンスアプリケーション機能は、異なる機能である、項目４０に記載のシステム。
（項目４２）
上記現在の番組スケジュールウィンドウ外で利用可能なメディアコンテンツ選択に対する予想利用可能性情報を受信するための手段は、推定利用可能日を受信する手段を備える、項目２２に記載のシステム。
（項目４３）
ユーザ機器装置上のユーザの視聴活動を計画するための方法であって、
特定の日付および期間に対する関心のある複数のメディアアセットをタグ付けするステップと、
上記複数のメディアアセットに対する識別子を備える双方向グリッドを表示するステップであって、上記双方向グリッドの１つの局面は、上記複数のメディアアセットに対するソースを表し、上記双方向グリッドの別の局面は、上記特定の日における期間を実質的に表す、ステップと、
上記複数のメディアアセットの第２のアセットに対して上記複数のメディアアセットのうちの少なくとも１つのアセットに対する先取優先度のユーザ指示を受信するステップと、
上記少なくとも１つのアセットの上記相対的先取優先度の機能として、上記複数のメディアアセットのうちの上記少なくとも１つのアセットに対するチューナを留保するステップと、
留保された利用可能なチューナを有さない上記複数のアセットのうちのアセットに対する識別子と、留保された利用可能なチューナを有する上記複数のアセットのうちのアセットに対する上記識別子を、視覚的に区別するステップと
を含む、方法。
（項目４４）
特定の日付および期間に対する関心のある複数のメディアアセットをタグ付けするステップは、上記複数のメディアアセットのうちの少なくとも１つをタグ付けする、上記ユーザからの指示を受信するステップを含む、項目４３に記載の方法。
（項目４５）
特定の日付および期間に対する関心のある複数のメディアアセットをタグ付けするステップは、上記少なくとも１つのアセットをタグ付けする明確なユーザの要求なしで、上記複数のメディアアセットのうちの少なくとも１つを自動的にタグ付けするステップを含む、項目４３に記載の方法。
（項目４６）
上記ソースのうちの少なくとも１つは、線形ソース、ビデオオンデマンドチャネル、ビデオオンデマンドサービス、およびローカルに録画されたソースから成る群より選択される、項目４３に記載の方法。
（項目４７）
特定の日付および期間に対する関心のある複数のメディアアセットをタグ付けするステップは、録画するために上記関心のある複数のメディアアセットのうちの少なくとも１つを予定するステップを含む、項目４３に記載の方法。
（項目４８）
特定の日付および期間に対する関心のある複数のメディアアセットをタグ付けするステップは、上記関心のある複数のメディアアセットのうちの少なくとも１つに対する通知を設定するステップを含む、項目４３に記載の方法。
（項目４９）
特定の日付および期間に対する関心のある複数のメディアアセットをタグ付けするステップは、録画するために関心のある時点に、上記関心のある複数のメディアアセットのうちの少なくとも１つをタグ付けするステップを含む、項目４３に記載の方法。
（項目５０）
特定の日付および期間に対する関心のある複数のメディアアセットをタグ付けするステップは、視聴するために関心のある時点に、上記関心のある複数のメディアアセットのうちの少なくとも１つをタグ付けするステップを含む、項目４３に記載の方法。
（項目５１）
特定の日付および期間に対する関心のある複数のメディアアセットをタグ付けするステップは、お気に入りリストに上記複数のメディアアセットのうちの少なくとも１つのアセットを追加するステップを含む、項目４３に記載の方法。
（項目５２）
特定の日付および期間に対する関心のある複数のメディアアセットをタグ付けするステップは、お気に入りリストに上記複数のメディアアセットのうちの少なくとも１つのアセットを上映するチャネルを追加するステップを含む、項目４３に記載の方法。
（項目５３）
特定の日付および期間に対する関心のある複数のメディアアセットをタグ付けするステップは、上記関心のある複数のメディアアセットのうちの少なくとも１つに対するブックマークを設定するステップを含む、項目４３に記載の方法。
（項目５４）
上記複数のメディアアセットのうちの１つのアセットの上記先取優先度を変更するユーザの要求を受信するステップと、
上記先取優先度を変更する上記ユーザの要求を受信するステップに応じて、上記双方向グリッド内の新しい場所における上記複数のメディアアセットのうちの上記１つのアセットに対する上記識別子を表示するステップと
をさらに含む、項目４３に記載の方法。
（項目５５）
上記複数のメディアアセットのうちの１つのアセットの上記先取優先度を変更するユーザの要求を受信するステップは、上記１つのアセットに対する上記識別子を上記双方向グリッド中の新しい場所へドラッグするユーザの要求を受信するステップを含む、項目５４に記載の方法。
（項目５６）
上記複数のメディアアセットのうちの１つのアセットの上記先取優先度を変更するユーザの要求を受信するステップは、
上記１つのアセットに対する上記識別子のユーザ選択を受信するステップと、
上記ユーザ選択を受信した後に、ＰＡＧＥ  ＵＰまたはＰＡＧＥ  ＤＯＷＮコマンドを受信するステップと
を含む、項目５４に記載の方法。
（項目５７）
上記先取優先度を変更する上記ユーザの要求を受信するステップに応じて、上記双方向グリッドの上記表示を自動的に更新するステップをさらに含む、項目５４に記載の方法。
（項目５８）
上記双方向グリッドから上記複数のメディアアセットのうちの１つのアセットに対する上記識別子を除去するユーザの要求を受信するステップと、
上記双方向グリッドから上記１つのアセットに対する上記識別子を除去するステップと、
上記双方向グリッドに残っている識別子を有する、少なくとも１つの他のアセットの上記相対的先取優先度を調整するステップと
をさらに含む、項目４３に記載の方法。
（項目５９）
留保された利用可能なチューナを有さない上記複数のアセットのうちのアセットに対する識別子と、留保された利用可能なチューナを有する上記複数のアセットのうちのアセットに対する上記識別子を、視覚的に区別するステップは、留保された利用可能なチューナを有さないアセットに対する上記識別子内または付近にアイコンを表示するステップを含む、項目４３に記載の方法。
（項目６０）
留保された利用可能なチューナを有さない上記複数のアセットのうちのアセットに対する識別子と、留保された利用可能なチューナを有する上記複数のアセットのうちのアセットに対する上記識別子を、視覚的に区別するステップは、留保された利用可能なチューナを有さない上記複数のアセットのうちのアセットに対する上記識別子のテキスト構成要素のフォントサイズまたはフォントカラーのうちの少なくとも１つを変えるステップを含む、項目４３に記載の方法。
（項目６１）
上記複数のメディアアセットのうちの１つのアセットのユーザ選択を受信するステップと、
上記ユーザ選択を受信するステップに応じて、上記選択された１つのアセットと関連するメディアコンテンツを自動的に表示するステップと
をさらに含む、項目４３に記載の方法。
（項目６２）
上記複数のメディアアセットのうちの１つのアセットのユーザ選択を受信するステップと、
上記選択された１つのアセットがコマーシャルのない表示に利用可能であるかどうかを決定するステップと、
上記１つのアセットがコマーシャルのない表示に利用可能であると決定するステップに応じて、コマーシャルなしで上記１つのアセットを表示するように上記ユーザに指示するステップと
をさらに含む、項目４３に記載の方法。
（項目６３）
上記選択された１つのアセットがコマーシャルのない表示に利用可能であるかどうかを決定するステップは、上記１つのアセットと関連するコマーシャル状態フラグを解析するステップを含む、項目６２に記載の方法。
（項目６４）
少なくとも部分的に、上記解析されたコマーシャル状態フラグからのデータに基づいて、コマーシャルなしで上記１つのアセットを表示するステップをさらに含む、項目６３に記載の方法。
（項目６５）
上記選択された１つのアセットがコマーシャルのない表示に利用可能であるかどうかを決定するステップは、
上記選択された１つのアセットの少なくとも１つの黒フレーム間隔を分析するステップと、
上記少なくとも１つの黒フレーム間隔から、上記選択された１つのアセット内の上記コマーシャルの開始時間および停止時間を決定するステップと、
上記コマーシャルの上記決定された開始時間および上記停止時間に基づいて、コマーシャルなしで上記選択された１つのアセットを表示するステップと
を含む、項目６２に記載の方法。
（項目６６）
コマーシャルのない上記選択された１つのアセットの実行時間を計算するステップと、
コマーシャルのない上記選択された１つのアセットの上記計算された実行時間を反映するように、上記双方向グリッドの上記表示を更新するステップと
をさらに含む、項目６２に記載の方法。
（項目６７）
上記双方向グリッドの上記表示を更新するステップに応じて、上記双方向グリッドを自動的に詰めるステップをさらに含む、項目６６に記載の方法。
（項目６８）
上記複数のメディアアセットのうちの１つのアセットの計画された視聴時間を変更するユーザの要求を受信するステップをさらに含む、項目４３に記載の方法。
（項目６９）
上記複数のアセットのうちの上記１つのアセットの計画された視聴時間を変更するユーザの要求を受信する上記ステップに応じて、録画するために上記１つのアセットを予定するステップをさらに含む、項目６８に記載の方法。
（項目７０）
上記複数のメディアアセットのうちの上記１つのアセットの上記計画された視聴時間を変更するユーザの要求を受信するステップは、上記特定の日における期間を実質的に表す上記局面の方向に、上記１つのアセットに対する上記識別子の縁をドラッグするステップを含む、項目６８に記載の方法。
（項目７１）
上記複数のメディアアセットのうちの上記１つのアセットの上記計画された視聴時間を変更するユーザの要求を受信するステップは、上記１つのアセットの上記視聴時間を延長するステップを含む、項目６８に記載の方法。
（項目７２）
上記複数のメディアアセットのうちの１つのアセットの計画された視聴時間を分割するユーザの要求を受信するステップと、
上記計画された視聴時間を分割する上記ユーザの要求を受信するステップに応じて、上記双方向グリッド中の上記１つのアセットの上記計画された視聴時間に対する少なくとも２つの区切りを表示するステップと
をさらに含む、項目４３に記載の方法。
（項目７３）
ユーザ機器装置上のユーザの視聴活動を計画するためのシステムであって、
特定の日付および期間に対する関心のある複数のメディアアセットをタグ付けするための手段と、
上記複数のメディアアセットに対する識別子を備える双方向グリッドを表示するための手段であって、上記双方向グリッドの１つの局面は、上記複数のメディアアセットに対するソースを表し、上記双方向グリッドの別の局面は、上記特定の日の上記期間を実質的に表す、手段と、
上記複数のメディアアセットの第２のアセットに対する上記複数のメディアアセットのうちの少なくとも１つのアセットに対する先取優先度のユーザ指示を受信するための手段と、
上記少なくとも１つのアセットの上記相対的先取優先度の機能として、上記複数のメディアアセットのうちの上記少なくとも１つのアセットに対するチューナを留保するための手段と、
留保された利用可能なチューナを有さない上記複数のアセットのうちのアセットに対する識別子と、留保された利用可能なチューナを有する上記複数のアセットのうちのアセットに対する上記識別子を、視覚的に区別するための手段と
をさらに備える、システム。
（項目７４）
特定の日付および期間に対する関心のある複数のメディアアセットをタグ付けするための上記手段は、上記複数のメディアアセットのうちの少なくとも１つをタグ付けする、上記ユーザからの指示を受信するための手段を備える、項目７３に記載のシステム。
（項目７５）
特定の日付および期間に対する関心のある複数のメディアアセットをタグ付けするための上記手段は、上記少なくとも１つのアセットをタグ付けする明確なユーザの要求なしで、上記複数のメディアアセットのうちの少なくとも１つを自動的にタグ付けするための手段を備える、項目７３に記載のシステム。
（項目７６）
上記ソースのうちの少なくとも１つは、線形ソース、ビデオオンデマンドチャネル、ビデオオンデマンドサービス、およびローカルに録画されたソースから成る群より選択される、項目７３に記載のシステム。
（項目７７）
特定の日付および期間に対する関心のある複数のメディアアセットをタグ付けするための上記手段は、録画するために上記関心のある複数のメディアアセットのうちの少なくとも１つを予定するための手段を備える、項目７３に記載のシステム。
（項目７８）
特定の日付および期間に対する関心のある複数のメディアアセットをタグ付けするための上記手段は、上記関心のある複数のメディアアセットのうちの少なくとも１つに対する通知を設定するための手段を備える、項目７３に記載のシステム。
（項目７９）
特定の日付および期間に対する関心のある複数のメディアアセットをタグ付けするための上記手段は、録画するために関心のある時点に、上記関心のある複数のメディアアセットのうちの少なくとも１つをタグ付けするための手段を備える、項目７３に記載のシステム。
（項目８０）
特定の日付および期間に対する関心のある複数のメディアアセットをタグ付けするための上記手段は、視聴するために関心のある時点に、上記関心のある複数のメディアアセットのうちの少なくとも１つをタグ付けするための手段を備える、項目７３に記載のシステム。
（項目８１）
特定の日付および期間に対する関心のある複数のメディアアセットをタグ付けするための上記手段は、お気に入りリストに上記複数のメディアアセットのうちの少なくとも１つのアセットを追加するための手段を備える、項目７３に記載のシステム。
（項目８２）
特定の日付および期間に対する関心のある複数のメディアアセットをタグ付けするための上記手段は、お気に入りリストに上記複数のメディアアセットのうちの少なくとも１つのアセットを上映するチャネルを追加するための手段を備える、項目７３に記載のシステム。
（項目８３）
特定の日付および期間に対する関心のある複数のメディアアセットをタグ付けするための上記手段は、上記関心のある複数のメディアアセットのうちの少なくとも１つに対するブックマークを設定するための手段を備える、項目７３に記載のシステム。
（項目８４）
上記複数のメディアアセットのうちの１つのアセットの上記先取優先度を変更するユーザの要求を受信するための手段と、
上記先取優先度を変更する上記ユーザの要求を受信するステップに応じて、上記双方向グリッド内の新しい場所における上記複数のメディアアセットのうちの上記１つのアセットに対する上記識別子を表示するための手段と
をさらに備える、項目７３に記載のシステム。
（項目８５）
上記複数のメディアアセットのうちの１つのアセットの上記先取優先度を変更するユーザの要求を受信するための上記手段は、上記１つのアセットに対する上記識別子を上記双方向グリッド中の新しい場所へドラッグするユーザの要求を受信するための手段を備える、項目８４に記載のシステム。
（項目８６）
上記複数のメディアアセットのうちの１つのアセットの上記先取優先度を変更するユーザの要求を受信するための上記手段は、
上記１つのアセットに対する上記識別子のユーザ選択を受信するための手段と、
上記ユーザ選択を受信した後に、ＰＡＧＥ  ＵＰまたはＰＡＧＥ  ＤＯＷＮコマンドを受信するための手段と
を備える、項目８４に記載のシステム。
（項目８７）
上記先取優先度を変更する上記ユーザの要求を受信するステップに応じて、上記双方向グリッドの上記表示を自動的に更新するための手段をさらに備える、項目８４に記載のシステム。
（項目８８）
上記双方向グリッドから上記複数のメディアアセットのうちの１つのアセットに対する上記識別子を除去するユーザの要求を受信するための手段と、
上記双方向グリッドから上記１つのアセットに対する上記識別子を除去するための手段と、
上記双方向グリッドに残っている識別子を有する、少なくとも１つの他のアセットの上記相対的先取優先度を調整するための手段と
をさらに備える、項目７３に記載のシステム。
（項目８９）
留保された利用可能なチューナを有さない上記複数のアセットのうちのアセットに対する識別子と、留保された利用可能なチューナを有する上記複数のアセットのうちのアセットに対する上記識別子を、視覚的に区別するための上記手段は、留保された利用可能なチューナを有さないアセットに対する上記識別子内または付近にアイコンを表示するための手段を備える、項目７３に記載のシステム。
（項目９０）
留保された利用可能なチューナを有さない上記複数のアセットのうちのアセットに対する識別子と、留保された利用可能なチューナを有する上記複数のアセットのうちのアセットに対する上記識別子を、視覚的に区別するための上記手段は、留保された利用可能なチューナを有さない上記複数のアセットのうちのアセットに対する上記識別子のテキスト構成要素のフォントサイズまたはフォントカラーのうちの少なくとも１つを変えるための手段を備える、項目７３に記載のシステム。
（項目９１）
上記複数のメディアアセットのうちの１つのアセットのユーザ選択を受信するための手段と、
上記ユーザ選択を受信するステップに応じて、上記選択された１つのアセットと関連するメディアコンテンツを自動的に表示するための手段と
をさらに備える、項目７３に記載のシステム。
（項目９２）
上記複数のメディアアセットのうちの１つのアセットのユーザ選択を受信するための手段と、
上記選択された１つのアセットがコマーシャルのない表示に利用可能であるかどうかを決定するための手段と、
上記１つのアセットがコマーシャルのない表示に利用可能であると決定するステップに応じて、コマーシャルなしで上記１つのアセットを表示するように上記ユーザに指示する手段と
をさらに備える、項目７３に記載のシステム。
（項目９３）
上記選択された１つのアセットがコマーシャルのない表示に利用可能であるかどうかを決定するための上記手段は、上記１つのアセットと関連するコマーシャル状態フラグを解析するための手段を備える、項目９２に記載のシステム。
（項目９４）
少なくとも部分的に、上記解析されたコマーシャル状態フラグからのデータに基づいて、コマーシャルなしで上記１つのアセットを表示するための手段をさらに備える、項目９３に記載のシステム。
（項目９５）
上記選択された１つのアセットがコマーシャルのない表示に利用可能であるかどうかを決定するための手段は、
上記選択された１つのアセットの少なくとも１つの黒フレーム間隔を分析するための手段と、
上記少なくとも１つの黒フレーム間隔から、上記選択された１つのアセット内の上記コマーシャルの開始時間および停止時間を決定するための手段と、
上記コマーシャルの上記決定された開始時間および上記停止時間に基づいて、コマーシャルなしで上記選択された１つのアセットを表示するための手段と
を備える、項目９２に記載のシステム。
（項目９６）
コマーシャルのない上記選択された１つのアセットの実行時間を計算するための手段と、
コマーシャルのない上記選択された１つのアセットの上記計算された実行時間を反映するように、上記双方向グリッドの上記表示を更新するための手段と
をさらに備える、項目９２に記載のシステム。
（項目９７）
上記双方向グリッドの上記表示を更新するステップに応じて、上記双方向グリッドを自動的に詰めるための手段をさらに備える、項目９６に記載のシステム。
（項目９８）
上記複数のメディアアセットのうちの１つのアセットの計画された視聴時間を変更するユーザの要求を受信するための手段をさらに備える、項目７３に記載のシステム。
（項目９９）
上記複数のアセットのうちの上記１つのアセットの計画された視聴時間を変更するユーザの要求を受信するステップに応じて、録画するために上記１つのアセットを予定するための手段をさらに備える、項目９８に記載のシステム。
（項目１００）
上記複数のメディアアセットのうちの上記１つのアセットの上記計画された視聴時間を変更するユーザの要求を受信するための手段は、上記特定の日の上記期間を実質的に表す上記局面の方向に、上記１つのアセットに対する上記識別子の縁をドラッグするための手段を備える、項目９８に記載のシステム。
（項目１０１）
上記複数のメディアアセットのうちの上記１つのアセットの上記計画された視聴時間を変更するユーザの要求を受信するための手段は、上記１つのアセットの上記視聴時間を延長するための手段を備える、項目９８に記載のシステム。
（項目１０２）
上記複数のメディアアセットのうちの１つのアセットの計画された視聴時間を分割するユーザの要求を受信するための手段と、
上記計画された視聴時間を分割する上記ユーザの要求を受信するステップに応じて、上記双方向グリッド中の上記１つのアセットの上記計画された視聴時間に対する少なくとも２つの区切りを表示するための手段と
をさらに備える、項目７３に記載のシステム。